(57)【要約】【課題】光源と、光学素子と、接着剤を介して当該光学素子を支持する支持部材とを備える光ピックアップ装置であって、接着剤への光の入射が防止されており、かつ製造が容易な光ピックアップ装置を提供する。【解決手段】波長４０５ｎｍを含む第１の波長域の光を出射する光源と、光源からの光を透過して光ディスクに導くと共に、光ディスクで反射された光を透過して検出器に導く光学素子と、接着剤を介して光学素子を支持する支持部材と、光源からの光が光ディスクへ導かれる際に接着剤に入射する光を遮光する第１の遮光体と、光ディスクで反射された光が検出器へ導かれる際に接着剤に入射する光を遮光する第２の遮光体とを備え、第１及び／又は第２の遮光体は、第１の波長域の光を遮光し、紫外線の波長域１０〜４００ｎｍに含まれる第２の波長域の光を透過する、光ピックアップ装置とする。【選択図】図２
2011065738.tif 000002
【特許請求の範囲】
【請求項１】
波長４０５ｎｍを含む第１の波長域の光を出射する光源と、
前記光源からの光を透過して光ディスクに導くと共に、当該光ディスクで反射された光を透過して検出器に導く光学素子と、
接着剤を介して前記光学素子を支持する支持部材と、
前記光源からの光が光ディスクへ導かれる際に前記接着剤に入射する光を遮光する第１の遮光体と、
前記光ディスクで反射された光が検出器へ導かれる際に前記接着剤に入射する光を遮光する第２の遮光体と、
を備える光ピックアップ装置であって、
前記第１及び／又は第２の遮光体は、前記第１の波長域の光を遮光し、紫外線の波長域１０〜４００ｎｍに含まれる第２の波長域の光を透過する、
光ピックアップ装置。
【請求項２】
前記第２の波長域が、波長３６５ｎｍを含む、請求項１に記載の光ピックアップ装置。
【請求項３】
前記第１の波長域が、３９８ｎｍ以上４２０ｎｍ以下の範囲にあり、前記第２の波長域が、３５０ｎｍ以上３８０ｎｍ以下の範囲にある、請求項１に記載の光ピックアップ装置。
【請求項４】
前記第１及び／又は第２の遮光体が、誘電体多層膜である、請求項１に記載の光ピックアップ装置。
【請求項５】
前記誘電体多層膜が、前記光学素子の表面に形成されている、請求項４に記載の光ピックアップ装置。
【請求項６】
前記光学素子が、表面に反射防止膜を有し、前記誘電体多層膜が当該反射防止膜上に形成されており、前記誘電体多層膜と当該反射防止膜の構成材料が同種の材料である、
請求項５に記載の光ピックアップ装置。
【請求項７】
第１及び第２の遮光体のうちの光束密度が高い側に位置する遮光体が、前記支持部材の一部により形成されている、請求項１に記載の光ピックアップ装置。
【請求項８】
前記光学素子が、プラスチック製である、請求項１に記載の光ピックアップ装置。
【発明の詳細な説明】
【技術分野】
【０００１】
本発明は、光源と、光学素子と、接着剤を介して当該光学素子を支持する支持部材とを備える光ピックアップ装置に関し、特に光源として青紫色レーザーを用いる光ピックアップ装置に関する。
【背景技術】
【０００２】
近年、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光ディスクに対して情報の記録又は再生を行なう光ピックアップ装置が開発され、製造されている。
【０００３】
このような光ピックアップ装置は、例えば、特許文献１に示すように、光源（例えば、半導体レーザー）と、検出器ユニット（例えば、半導体受光素子）と、光源からの出射光及び検出器ユニットに導かれる光ディスクの反射光を通過させる光学素子（例えば、回折レンズ、コリメートレンズ、リレーレンズ）と、を備えてなる。
【０００４】
光学素子は、装置本体、及び対物レンズ駆動装置のレンズホルダなどの構成部品に、接着剤で固定されている。接着剤は、紫外線によって硬化可能な樹脂（ＵＶ硬化型の樹脂）である。
【０００５】
ここで光学素子の材料には、従来、ガラスが用いられてきた。しかしながら、光ピックアップ装置のコスト削減の要請により、レンズ表面に回折格子を形成した回折レンズだけでなく、最近は、コリメートレンズや対物レンズなどの光学素子の材料にプラスチックが用いられるようになってきている。
【０００６】
また、光源には、光ディスクの大容量化に伴って、波長の短いレーザーが用いられるようになってきている。例えば、ＣＤに対応する光源には、中心波長（７８０ｎｍ）の赤外線レーザーが用いられている。また、ＤＶＤに対応する光源には、中心波長（６５０ｎｍ）の赤色レーザーが用いられている。また、ＢＤに対応する光源には、中心波長（４０５ｎｍ）の青紫色レーザーが用いられている。
【０００７】
装置本体やレンズホルダなどの構成部品の小型化の要請から、ＵＶ硬化型の接着剤の塗布位置は制限されており、ＵＶ硬化型の接着剤は、光学素子の周辺部又はコバ部において用いられる。光学素子は、光源から出射され、光ディスクに導かれる往路光と、光ディスクで反射され、検出器ユニットに導かれる復路光を透過させる。この際、光学素子の周辺部又はコバ部に用いられた接着剤に光の一部が照射される可能性がある。また、検出器ユニットに導かれなかった不要迷光が接着剤に照射されてしまう可能性がある。
【０００８】
ＵＶ硬化型の接着剤は、典型的には、図６に示すような吸収スペクトルを示し、青紫色レーザーの波長域においても、わずかながら吸収を示す。ＵＶ硬化型の接着剤は、光学素子を固定する際に、紫外線照射により硬化させられるが、このとき、一部の光重合開始剤が未反応のまま残る。このため、光源に青紫色レーザーを用いる場合、接着剤に光源の光が照射されると、接着剤中に残存する未反応の光重合開始剤がさらなる硬化反応を引き起こす。よって、光源に青紫色レーザーを用いる光ピックアップ装置においては、使用回数が増えるにつれて、つまり青紫色レーザーが連続して長時間点灯して照射されることで接着剤のさらなる硬化が徐々に進行する。
【０００９】
接着剤のさらなる硬化が起こると、接着剤は、変質（収縮、変形等）を起こし、硬化収縮、変形等により発生する応力によって、光学素子の位置、姿勢、形状等が変化する。ここで、光学素子がプラスチック製であった場合、プラスチック製の光学素子は、ガラス製のものに比べて弾性率が低いので、光学素子の形状変化（収差）が大きくなる。
【００１０】
したがって、プラスチック製の光学素子を備え、光源に青紫色レーザーを用いる光ピックアップ装置では、接着剤に光源の光が照射されて硬化することによる光学素子への影響が大きくなる。そのため、このような光ピックアップ装置では、使用回数が増えるにしたがって、光学素子で非点収差、コマ収差などの収差が発生し得るので、長期間品位を保つことが困難になる。
【００１１】
一方、光源から出射された光が接着剤に照射されない光学装置として、特許文献２には、光学素子と、接着剤により光学素子を支持する支持部材とを備え、遮光膜が光学素子表面に設けられた露光装置用の光学装置が開示されている。この光学装置の具体的な構造を、図７に示す。
【００１２】
図７では、レンズが接着剤を介して支持部材に固定されており、レンズの接着部位の周辺部において、遮光膜が設けられており、さらに、支持部材の光が照射される側に、接着剤を覆うように遮光体が設けられている。特許文献２には、遮光膜には、顔料を含有する樹脂、又はＮｉ、Ｓｉを含む材料が使用でき、透過率及び反射率が共に０．１％以下の材料を用いることが記載されている。
【先行技術文献】
【特許文献】
【００１３】
【特許文献１】特開２００８−３０５５１６号公報
【特許文献２】特開２００９−１０２３２号公報
【発明の概要】
【発明が解決しようとする課題】
【００１４】
特許文献２に示すような遮光膜及び遮光体を用いた露光装置用の光学装置の構造を、光ピックアップ装置に採用すれば、上記の接着剤のさらなる硬化による光学素子への影響を軽減できるものと考えられる。しかしながら、特許文献２の光学装置の構造を製造することは容易ではなく、生産性が悪いという問題があった。
【００１５】
そこで、本発明は、光源と、光学素子と、接着剤を介して当該光学素子を支持する支持部材とを備える光ピックアップ装置であって、接着剤への光の入射が防止されており、かつ製造が容易な光ピックアップ装置を提供することを目的とする。
【課題を解決するための手段】
【００１６】
上記目的を達成した本発明は、波長４０５ｎｍを含む第１の波長域の光を出射する光源と、
前記光源からの光を透過して光ディスクに導くと共に、当該光ディスクで反射された光を透過して検出器に導く光学素子と、
接着剤を介して前記光学素子を支持する支持部材と、
前記光源からの光が光ディスクへ導かれる際に前記接着剤に入射する光を遮光する第１の遮光体と、
前記光ディスクで反射された光が検出器へ導かれる際に前記接着剤に入射する光を遮光する第２の遮光体と、
を備える光ピックアップ装置であって、
前記第１及び／又は第２の遮光体は、前記第１の波長域の光を遮光し、紫外線の波長域１０〜４００ｎｍに含まれる第２の波長域の光を透過する、
光ピックアップ装置である。
【発明の効果】
【００１７】
本発明によれば、光源からの出射光および光ディスクからの反射光が接着剤に照射されることが防止され、接着剤のさらなる硬化による光学素子の収差の発生を抑制することができる。さらに、本発明の光ピックアップ装置は、遮光体を設けた状態で接着剤のＵＶ硬化を行うことができるため、製造が容易である。
【図面の簡単な説明】
【００１８】
【図１】本実施の形態に係る光ピックアップ装置の構成例を示す図
【図２】本実施の形態１に係る接着構造の一部拡大図
【図３】本実施の形態２に係る接着構造の一部拡大図
【図４】本実施の形態３に係る接着構造の一部拡大図
【図５】本実施の形態１において使用される遮光膜の一例の光透過率を示す図
【図６】ＵＶ硬化型の接着剤の吸収スペクトルの例を示す図
【図７】従来例を説明するための図
【発明を実施するための形態】
【００１９】
（実施の形態１）
本実施の形態１について、図面を参照して説明を行なう。
【００２０】
＜光ピックアップの構成例（図１）の説明＞
光ピックアップ１００の構成を、図１を用いて説明する。光ピックアップ１００は、パーソナルコンピューター、光ディスクプレーヤー、光ディスクレコーダー、光ディスクを用いたゲーム機等に用いることができる。
【００２１】
図１は、光ピックアップ１００の構成図である。光ピックアップ１００は、レンズホルダ２０と、コリメートレンズホルダ２１と、レンズホルダ２０及びコリメートレンズホルダ２１が設けられる基台２２と、を備える。レンズホルダ２０には、青紫色用λ／４板７、回折レンズ８、青紫色用対物レンズ９、赤色／赤外用λ／４板１８、赤色／赤外用対物レンズ１９が設けられる。コリメートレンズホルダ２１には、コリメートレンズ５が設けられる。基台２２には、青紫色レーザー１、リレーレンズ２、青紫色用λ／２板３、ビームスプリッタ４、青紫色用立ち上げミラー６、赤色／赤外レーザー１０、プレートビームスプリッタ１１、第１の回折素子１２、検出レンズ１３、検出器ユニット１４、第２の回折素子１６、及び赤色／赤外用立ち上げミラー１７が設けられる。なお、光ディスク１５は、図示しないディスクトレイに載置された光ディスクを示しており、光ピックアップ１００の構成部品ではない。
【００２２】
青紫色レーザー１は、ＢＤ用の光源であり、中心波長４０５ｎｍの光を発するように構成されている。
【００２３】
リレーレンズ２、コリメートレンズ５、回折レンズ８、及び赤色／赤外用対物レンズ１９は、プラスチックで構成されている。ここで、プラスチックとは、合成樹脂を意味し、熱可塑性樹脂のみならず熱硬化性樹脂も含む。リレーレンズ２、コリメートレンズ５、回折レンズ８、及び赤色／赤外用対物レンズ１９は、例えば、シクロオレフィンポリマーで実現可能である。シクロオレフィンポリマーは、シクロペンタジエンを基本原料とする材料である。リレーレンズ２、コリメートレンズ５、回折レンズ８、及び赤色／赤外用対物レンズ１９は、光学素子の一例である。なお、本実施の形態におけるシクロオレフィンポリマーは、曲げ弾性率が約３．１Ｅ＋９Ｐａとなる材料である。この情報は、日本ゼオン株式会社により公開された製品情報「ＺＥＯＮＥＸ（登録商標）３３０Ｒ」に基づき記載している。
【００２４】
青紫色用対物レンズ９、検出レンズ１３は、ガラスで構成されている。青紫色用λ／２板３、青紫色用立ち上げミラー６、青紫色用λ／４板７、プレートビームスプリッタ１１、第１の回折素子１２、第２の回折素子１６、赤色／赤外用立ち上げミラー１７、及び赤色／赤外用λ／４板１８は、ガラスを主成分として構成されている。また、ビームスプリッタ４は、水晶で構成されている。ガラス及び水晶は、プラスチックよりも弾性率が高い材料である。なお、青紫色用λ／２板３、ビームスプリッタ４、青紫色用立ち上げミラー６、青紫色用λ／４板７、青紫色用対物レンズ９、プレートビームスプリッタ１１、第１の回折素子１２、検出レンズ１３、第２の回折素子１６、赤色／赤外用立ち上げミラー１７、及び赤色／赤外用λ／４板１８は、上記材料に限定されない。青紫色用λ／２板３、ビームスプリッタ４、青紫色用立ち上げミラー６、青紫色用λ／４板７、青紫色用対物レンズ９、プレートビームスプリッタ１１、第１の回折素子１２、検出レンズ１３、第２の回折素子１６、赤色／赤外用立ち上げミラー１７、及び赤色／赤外用λ／４板１８は、光学素子の一例である。
【００２５】
なお、レンズホルダ２０、コリメートレンズホルダ２１及び基台２２は、支持部材の一例である。
【００２６】
＜光学素子の接着構造（図２）の説明＞
本実施の形態における光学素子の接着構造を、図２を用いて説明する。光ピックアップ１００は、青紫色レーザー１から光ディスク１５へと導かれる出射光の光路と光ディスク１５から検出器ユニット１４に導かれる反射光の光路上にプラスチック製の光学素子である回折レンズ８を有する。回折レンズ８は、支持部材であるレンズホルダ２０に接着剤２３を用いて接着固定される。接着剤２３には、例えば、アクリレートオリゴマー２５〜３５％、アクリレートモノマー５５〜６５％、トルエン０．５％未満、及び光重合開始剤１０％未満からなる材料を用いることができる。
【００２７】
レンズホルダ２０には、光ディスク側に、青紫色用対物レンズ９、光源側に、青紫色用λ／４板７を備えている。ここで、青紫色用λ／４板７は、回折レンズ８よりも光束の中心から外側で、接着剤２３を用いてレンズホルダ２０に接着固定される。すなわち、回折レンズ８を通過する光束の有効径よりも外形が大きな素子となる。そこで、青紫色用λ／４板７を通過する光束の有効領域外に、第１の遮光体として遮光膜２４を形成したものである。
【００２８】
遮光膜２４には、波長４０５ｎｍを含む第１の波長域の光を遮光し、紫外線の波長域１０〜４００ｎｍに含まれる第２の波長域の光を透過する材料を用いている。ここで、接着剤が通常３６５ｎｍを中心波長とする紫外線で硬化されることから、第２の波長域は、波長３６５ｎｍを含むことが好ましい。また、第１の波長域と第２の波長域は重ならないことが好ましい。より好ましくは、第１の波長域が、３９８ｎｍ以上４２０ｎｍ以下の範囲にあり、第２の波長域が、３５０ｎｍ以上３８０ｎｍ以下の範囲にある。
【００２９】
本実施の形態では、上記の材料として、遮光膜２４には誘電体多層膜を用いている。誘電体多層膜は、例えば、高屈折率層にＨｆＯ2、Ａｌ2Ｏ3、ＴｉＯ2、Ｔａ2Ｏ5、Ｎｂ2Ｏ2、ＺｒＯ2等を用い、低屈折率層にＳｉＯ2等を用いて構成することができる。波長４０５ｎｍを含む第１の波長域の光を遮光し、紫外線の波長域１０〜４００ｎｍに含まれる第２の波長域の光を透過するような誘電体多層膜の具体的な構成（材料、各層の厚さ、及び層数）については、マトリックス法により計算して求めることが可能である。このマトリックス法による計算は、市販のソフトウェアを用いて行うことができる。当該誘電体多層膜の具体的な構成の一例を表１に示す。また、表１の構成の誘電体多層膜の光透過率を図５に示す。
【００３０】
【表１】
2011065738.tif 000003
【００３１】
また回折レンズ８の上部において、レンズホルダ２０の開口部に狭窄部が設けられており、この狭窄部が第２の遮光体を形成している。
【００３２】
＜光学素子の接着構造（図２）の効果＞
光学素子と支持部材と遮光体の関係を説明する。回折レンズ８は、接着剤２３によってレンズホルダ２０に接着固定されている。青紫色レーザー１からの光束は、光源側から図２に示す経路で入射し、青紫色用λ／４板７を通過する。その後、レンズホルダ２０に固定された回折レンズ８を通過した後、光ディスク１５で反射する。反射した光束は、回折レンズ８を通過し、光学系を通して検出器ユニット１４に導かれる。このとき、青紫色レーザー１からの光束の一部が、回折レンズ８を固定する接着剤２３にも向かうおそれがあるが、青紫色用λ／４板７に形成された遮光膜２４で遮断され、接着剤２３には青紫色レーザー１からの光束は照射されない。また、光ディスクで反射された光束は、第２の遮光体により径が狭くなったレンズホルダ２０の開口部からのみ回折レンズ８に戻ってくるため、接着剤２３には照射されない。したがって、接着剤２３のさらなる硬化が抑制され、使用回数が増えることに伴う光学素子の収差変動を軽減できる。
【００３３】
また、遮光膜２４は、紫外線の波長域に含まれる第２の波長域の光を透過する。したがって、回折レンズ８の接着剤及び青紫色用λ／４板７の接着剤をＵＶ硬化して固定する際に、回折レンズ８の接着剤及び青紫色用λ／４板７の接着剤を、一度のＵＶ照射で同時に硬化することができ、少ない工程で、遮光体を有する構造を容易に製造できるという利点がある。
【００３４】
（実施の形態２）
本実施の形態２について、図面を参照して説明する。光ピックアップ１００の構成は実施の形態１とほとんど同じであるため、異なる光学素子の接着構造についてのみ説明する。
【００３５】
＜光学素子の接着構造（図３）の説明＞
本実施の形態における光学素子の接着構造を、図３を用いて説明する。光ピックアップ１００は、青紫色レーザー１から光ディスク１５へと導かれる出射光の光路と光ディスク１５から検出器ユニット１４に導かれる反射光の光路上にプラスチック製の光学素子であるコリメートレンズ５を有する。コリメートレンズ５は、支持部材であるコリメートレンズホルダ２１に接着剤２３を用いて接着固定されている。コリメートレンズ５の光源側において、コリメートレンズホルダ２１の開口径が小さくなるように、コリメートレンズホルダ２１に突出部が設けられて、第１の遮光体が形成されている。さらには、この突出部（第１の遮光体）上にて、コリメートレンズ５のコバ部が接着剤２３により固定されている。ここで、光源からコリメートレンズ５に向かう光束よりも、コリメートレンズ５から光ディスクに向かう光束の方が、光束の有効径が大きく（光束密度が低く）なる。したがって、光束の有効径が小さい（光束密度が高い）光源側に支持部材の一部を突出させた遮光体を設けた方が、支持部材の一部（遮光体）を光束のより中心側まで設けることができ、高い遮光性を得ることができるとともに、コリメートレンズ５をコリメートレンズホルダ２１により安定に固定できるため有利である。したがって、遮光性及び光学素子の安定な固定の観点から、第１及び第２の遮光体のうちの光束密度が高い側の遮光体が、支持部材の一部により形成されていることが好ましい形態であり、この形態においては、当該遮光体に、接着剤を用いて光学素子を固定することが好ましい。
【００３６】
さらに、コリメートレンズ５のディスク側においては、コリメートレンズホルダ２１には、第２の遮光体として遮光板２５が、接着剤２３により固定されている。
【００３７】
当該遮光板２５には、実施の形態１と同様に、波長４０５ｎｍを含む第１の波長域の光を遮光し、紫外線の波長域１０〜４００ｎｍに含まれる第２の波長域の光を透過する材料が用いられている。本実施の形態では、遮光板２５には、バンドパスフィルタを用いている。当該バンドパスフィルタとしては、例えば、色ガラスフィルタ（例、ＳＣＨＯＴＴ社製紫外透過可視吸収フィルタ、商品名「ＵＧ１」など）を利用することができる。
【００３８】
＜光学素子の接着構造（図３）の効果＞
光学素子と支持部材と遮光体の関係を説明する。コリメートレンズ５は、接着剤２３によってコリメートレンズホルダ２１に接着固定されている。青紫色レーザー１からの光束は、図３に示す経路で入射し、コリメートレンズ５を通過する。青紫色レーザー１からの光束の一部は、コリメートレンズ５を固定する接着剤２３にも向かうおそれがあるが、コリメートレンズホルダ２１には、第１の遮光体が設けられているため、接着剤２３に光束が照射されることが防止されている。
【００３９】
コリメートレンズ５を通過した光束は、光ディスクで反射され、反射した光束は、光学系を通して検出器ユニット１４に導かれる。このとき、光ディスクの信号層からの反射光だけでなく、光ディスク表面、又は光ディスクの他の層から反射した光の一部が反射迷光としてコリメートレンズ５に戻ってくる。この反射迷光は、コリメートレンズ５の往路の有効径外の領域にも戻ってくるため、反射した光束の一部が、コリメートレンズ５を固定する接着剤２３にも向かう。しかし、コリメートレンズホルダ２１に固定された遮光板２５により、光束は遮断され、接着剤２３には反射した光束は照射されない。したがって、接着剤２３のさらなる硬化が抑制され、使用回数が増えることに伴う光学素子の収差変動を軽減できる。
【００４０】
また、本実施の形態では、紫外線の波長域に含まれる第２の波長域の光を透過する遮光体を設けるようにした。したがって、コリメートレンズ５の接着剤及び遮光板２５の接着剤をＵＶ硬化して固定する際に、コリメートレンズ５の接着剤及び遮光板２５の接着剤を、一度のＵＶ照射で同時に硬化することができ、少ない工程で、遮光体を有する構造を容易に製造できるという利点がある。
【００４１】
（実施の形態３）
本実施の形態３について、図面を参照して説明する。光ピックアップ１００の構成は実施の形態１とほとんど同じであるため、異なる光学素子の接着構造についてのみ説明する。
【００４２】
＜光学素子の接着構造（図４）の説明＞
本実施の形態における光学素子の接着構造を、図４を用いて説明する。光ピックアップ１００は、青紫色レーザー１から光ディスク１５へと導かれる出射光の光路と光ディスク１５から検出器ユニット１４に導かれる反射光の光路上にプラスチック製の光学素子であるコリメートレンズ５を有する。コリメートレンズ５は、支持部材であるコリメートレンズホルダ２１に接着剤２３を用いて接着固定されている。実施の形態２と同様に、コリメートレンズ５の光源側において、コリメートレンズホルダ２１の開口径が小さくなるように、コリメートレンズホルダ２１に突出部が設けられて、第１の遮光体が形成されている。さらには、この突出部（第１の遮光体）上にて、コリメートレンズ５のコバ部が接着剤２３により固定されている。
【００４３】
コリメートレンズ５のディスク側の表面には遮光膜２４が設けられている。この遮光膜２４には、実施の形態１と同様に、波長４０５ｎｍを含む第１の波長域の光を遮光し、紫外線の波長域１０〜４００ｎｍに含まれる第２の波長域の光を透過する材料が用いられており、具体的には、実施の形態１の遮光膜２４と同様の誘電体多層膜が用いられている。
【００４４】
コリメートレンズの表面には、反射防止膜（図示せず）が設けられている。反射防止膜もまた、誘電体多層膜により形成することができる。反射防止膜としての誘電体多層膜は、例えば、高屈折率層にＨｆＯ2、Ａｌ2Ｏ3、ＴｉＯ2、Ｔａ2Ｏ5、Ｎｂ2Ｏ2、ＺｒＯ2等を用い、低屈折率層にＳｉＯ2等を用いて構成することができ、その具体的な構成については公知であり、また、マトリックス法により計算して設計することも可能である。
【００４５】
したがって、遮光体としての誘電体多層膜を前記光学素子の表面に形成する場合には、従来の反射防止膜形成プロセスが応用でき、製造面で有利である。さらに、光学素子が、表面に反射防止膜を有し、遮光体としての誘電体多層膜が反射防止膜上に形成されており、誘電体多層膜と反射防止膜の構成材料が同種の材料である場合には、製造面でより有利である。
【００４６】
＜光学素子の接着構造（図４）の効果＞
光学素子と支持部材と遮光体の関係を説明する。コリメートレンズ５は、接着剤２３によってコリメートレンズホルダ２１に接着固定されている。青紫色レーザー１からの光束は、図４に示す経路で入射し、コリメートレンズ５を通過する。青紫色レーザー１からの光束の一部は、コリメートレンズ５を固定する接着剤２３にも向かうおそれがあるが、コリメートレンズホルダ２１には、第１の遮光体が設けられているため、接着剤２３に光束が照射されることが防止されている。
【００４７】
コリメートレンズ５を通過した光束は、光ディスクで反射され、反射した光束は、光学系を通して検出器ユニット１４に導かれる。このとき、光ディスクの信号層からの反射光だけでなく、光ディスク表面、又は光ディスクの他の層から反射した光の一部が反射迷光としてコリメートレンズ５に戻ってくる。この反射迷光は、コリメートレンズ５の往路の有効径外の領域にも戻ってくるため、反射した光束の一部が、コリメートレンズ５を固定する接着剤２３にも向かう。しかし、コリメートレンズ５の表面の往路の有効径外の部分に形成された遮光膜２４により、光束は遮断され、接着剤２３には反射した光束は照射されない。したがって、接着剤２３のさらなる硬化が抑制され、使用回数が増えることに伴う光学素子の収差変動を軽減できる。
【００４８】
また、本実施の形態では、実施の形態１と同様に、波長４０５ｎｍを含む第１の波長域の光を遮光し、紫外線の波長域１０〜４００ｎｍに含まれる第２の波長域（例えば、３６５ｎｍ±５）の光を透過する材料を用いた遮光膜を設けるようにした。したがって、コリメートレンズ５に遮光膜２４が予め設けられた状態で、コリメートレンズ５をコリメートレンズホルダ２１に接着固定できる。つまり、本実施の形態では、次のようにして、コリメートレンズホルダ２１にコリメートレンズ５を接着固定できる。まず、コリメートレンズ５に遮光膜２４を形成する。次に、コリメートレンズホルダ２１にコリメートレンズ５を接着剤で固定する。この段階ではまだ接着剤は硬化されていない。そして、接着剤にＵＶ（例えば、３６５ｎｍ±５）を、遮光膜２４及びコリメートレンズ５を介して照射する。ここで遮光膜２４は、ＵＶを透過するため、接着剤のＵＶ硬化の妨げにならない。このようなプロセスによれば、製造する際に、多数のコリメートレンズ５に対し一括処理可能なメリットがある。また、遮光膜２４が接着剤のＵＶ硬化の妨げにならないため、製造する際の作業性を向上できる。
【００４９】
（他の実施の形態）
本発明は、その意図および本質的な特徴から逸脱しない限り、他の実施の形態に適用しうる。この明細書に開示されている実施の形態は、あらゆる点で説明的なものであって、これに限定されない。本発明の範囲は、上記説明ではなく添付したクレームによって示されており、クレームと均等な意味および範囲にあるすべての変更はそれに含まれる。
【００５０】
例えば、上記の実施の形態では、第１の遮光体と第２の遮光体のいずれか一方のみに波長４０５ｎｍを含む第１の波長域の光を遮光し、紫外線の波長域１０〜４００ｎｍに含まれる第２の波長域の光を透過する材料を用いたが、第１の遮光体と第２の遮光体の両方に当該材料を用いてもよい。例えば、光学素子の側部において、接着剤により支持部材に固定し、光学素子の周辺部の両面に当該材料を用いた遮光膜を設けてもよい。
【００５１】
また、当該材料として、上記の実施の形態では、誘電体多層膜又はバンドパスフィルタを用いたが、当該材料はこれらに限られるものではない。
【００５２】
また、他の実施の形態では、上記説明した接着剤に替えて、他の接着剤、例えば、アクリレートモノマー６５〜７５％、エラトラマー２０〜３０％、及び光重合開始剤１０％未満からなる接着剤を利用することができる。
【産業上の利用可能性】
【００５３】
本発明は、再生装置（プレーヤー）、記録装置（レコーダー）、パーソナルコンピューターなどの光ピックアップを備える装置に適用可能である。また、本発明は、光源と、検出器ユニットを有するバーコードリーダ等にも利用可能である。
【符号の説明】
【００５４】
１  青紫色レーザー
２  リレーレンズ
３  青紫色用λ／２板
４  ビームスプリッタ
５  コリメートレンズ
６  青紫色用立ち上げミラー
７  青紫色用λ／４板
８  回折レンズ
９  青紫色用対物レンズ
１０  赤色／赤外レーザー
１１  プレートビームスプリッタ
１２  第１の回折素子
１３  検出レンズ
１４  検出器ユニット
１５  光ディスク
１６  第２の回折素子
１７  赤色／赤外用立ち上げミラー
１８  赤色／赤外用λ／４板
１９  赤色／赤外用対物レンズ
２０  レンズホルダ
２１  コリメートレンズホルダ
２２  基台
２３  接着剤
２４  遮光膜
２５  遮光板
１００  光ピックアップ
【図１】
2011065738.tif 000004
【図２】
2011065738.tif 000005
【図３】
2011065738.tif 000006
【図４】
2011065738.tif 000007
【図５】
2011065738.tif 000008
【図６】
2011065738.tif 000009
【図７】
2011065738.tif 000010